(57)【要約】【課題】  使用目的や場所に応じて、マスク本体を異なる種類の生地や厚みのものにしたり、あるいは、自分の好みの柄や色のものにしたりすることが可能なマスクを提供すること。【解決手段】  この発明のマスクは、マスク本体１の左右側部に耳に掛けるための耳掛け紐２を取り付けたマスクであって、耳掛け紐２はマスク本体１の左右側部に着脱自在な取付具３を有しており、この取付具３を着脱することにより、耳掛け紐２をマスク本体１から取り外し可能にしたものとしている。【選択図】  図１
2005143860.tif 000002
【特許請求の範囲】
【請求項１】
マスク本体（１）の左右側部に耳に掛けるための耳掛け紐（２）を取り付けたマスクであって、耳掛け紐（２）はマスク本体（１）の左右側部に着脱自在な取付具（３）を有しており、この取付具（３）を着脱することにより、耳掛け紐（２）をマスク本体（１）から取り外し可能にしていることを特徴とするマスク。
【請求項２】
マスク本体（１）がハンカチを折りたたんだものである請求項１記載のマスク。
【請求項３】
一端側に取付具（３）を有する輪状にした一対の紐であって、各紐の取付具（３）をそれぞれ適宜の生地の左右側部に取り付け、他端側を耳に掛けることにより、マスクとして使用することができるようにしていることを特徴とする耳掛け紐（２）。
【発明の詳細な説明】
【技術分野】
【０００１】
この発明は、防菌、防塵等の目的で口や鼻を覆うために使用するマスクに関するものである。
【背景技術】
【０００２】
従来のマスクは、マスク本体の左右側部に耳に掛けるための耳掛け紐が取り付けられている。（例えば、特許文献１の図１参照）。この従来のマスクの耳掛け紐は、マスク本体に縫着されており、着脱できない構成となっているため、マスク本体から取り外すことができなかった。
【０００３】
従って、従来のマスクでは、使用目的や場所に応じて、マスク本体を異なる種類の生地や厚みのものにしたり、あるいは、自分の好みの柄や色のものにしたりすることはできなかった。
【特許文献１】実開平６−６４６５７号公報
【発明の開示】
【発明が解決しようとする課題】
【０００４】
そこで、この発明は、使用目的や場所に応じて、マスク本体を異なる種類の生地や厚みのものにしたり、あるいは、自分の好みの柄や色のものにしたりすることが可能なマスクを提供することを課題とする。
【課題を解決するための手段】
【０００５】
この発明のマスクは、マスク本体１の左右側部に耳に掛けるための耳掛け紐２を取り付けたマスクであって、耳掛け紐２はマスク本体１の左右側部に着脱自在な取付具３を有しており、この取付具３を着脱することにより、耳掛け紐２をマスク本体１から取り外し可能にしたものとしている。
【０００６】
マスク本体１は、ハンカチを折りたたんだものとすることができる。
【０００７】
また、この発明の耳掛け紐２は、一端側に取付具３を有する輪状にした一対の紐であって、各紐の取付具３をそれぞれ適宜の生地の左右側部に取り付け、他端側を耳に掛けることにより、マスクとして使用することができるようにしたものとしている。
【発明の効果】
【０００８】
この発明のマスクは、上述のような構成を有しており、使用目的や場所に応じて、マスク本体１を異なる種類の生地や厚みのもの、あるいは、自分の好みの柄や色のものにすることが可能である。
【０００９】
さらに、マスク本体１をハンカチを折りたたんだものとすれば、様々な柄や色のハンカチが容易に入手可能であり、マスク本体１を自由に取り替えて楽しむことができる。
【００１０】
また、この発明の耳掛け紐２は、一端側に取付具３を、使用目的や場所に応じて、適宜の種類や厚みのもの、あるいは、自分の好みの柄や色の生地に取り付けて、マスクとして使用することが可能となる。
【発明を実施するための最良の形態】
【００１１】
以下、この発明の好適な実施形態を、図面を参照して説明する。
【００１２】
図１は、この発明の実施形態のマスクの斜視図、図２は、マスク本体１から取り外した耳掛け紐２の斜視図、図３は取付具３の側面図である。
【００１３】
この発明のマスクは、マスク本体１の左右側部に耳に掛けるための耳掛け紐２を取り付けたマスクであって、耳掛け紐２はマスク本体１の左右側部に着脱自在な取付具３を有しており、この取付具３を着脱することにより、耳掛け紐２をマスク本体１から取り外し可能にしたものとしている。
【００１４】
マスク本体１は、ハンカチを、一般的なマスクのマスク本体と同程度の大きさの四角形状に折りたたんだものとしているが、折り畳み回数を増減したり、折りたたむ角度を変えたりして、大きさや形状を適宜変更して実施することが可能である。
【００１５】
ハンカチは、様々な生地の種類、柄や色のものが一般に市販され、入手が容易であるので、使用者は、自分の好みのものを入手してマスク本体１として使用することができる。また、使わなくなった手持ちの古いハンカチをマスク本体１として再利用することもできる。
【００１６】
マスク本体１は、ハンカチ以外の適宜の生地とすることもでき、生地の種類（ガーゼその他各種の天然繊維や合成繊維等）、大きさ、厚み等も自由に選択可能で、防菌、防塵等、各種の使用目的に応じて適切な生地を選択して使用することが可能である。
【００１７】
耳掛け紐２は、適宜の繊維やからなる左右各１本の紐を輪状にしたもので、それぞれの輪の一端側には２つの取付具３を有し、他端側は紐の両端を結んだものとし、さらに使用者の耳と口間の距離に応じて輪の大きさを調節するための長さ調節具４を有するものとしている。耳掛け紐２はゴム紐としてもよい。
【００１８】
取付具３は、マスク本体１の側部の生地を表裏から挟持するクリップとしている。取付具３は、各耳掛け紐２に２つずつ設けられており、互いに適宜間隔を有してマスク本体１の左右側部の上部と下部にそれぞれ取り付けられるようにしている。
【００１９】
この取付具３は、図３に示したように、表側と裏側の２つの片５，６を、それらの略中央部に設けた突出部７，８で互いに回動可能に軸着し、さらに両片５，６の後端側間に設けたコイル状のバネ９の両端で、両片５，６の前端側が閉じるように付勢したものとしている。
【００２０】
取付具３の両片の前端側には、マスク本体１の側部の生地に食い込みないし刺さるようにした歯部１０が設けられており、しっかりとマスク本体１に取り付けられるようにしている。
【００２１】
取付具３は、図示されているように、前記バネ９のコイル状部分に紐本体を通すことにより設けられており、移動可能であるので、位置や取付具３どうしの間隔を調節することにより、様々な大きさや形状のマスク本体１に対応させることができる。
【００２２】
長さ調節具４は、球状体に紐本体を通す孔を設けたもので、比較的強い力を加えない限り長さ調節具４が容易に移動できないようにしている。
【００２３】
なお、マスク本体１や耳掛け紐２の構成は、この実施形態に限定されず、適宜変更して実施することができる。
【００２４】
また、このマスクは、マスク本体１と耳掛け紐２をセットにして販売することができるが、耳掛け紐２のみを販売してもよい。
【００２５】
マスク本体１と耳掛け紐２をセットにして販売する場合は、図４に示したように、柄や色の異なる複数枚のマスク本体１と、左右一対の耳掛け紐２とを一緒に包装して販売するとよい。購入者は、場所やそのときの気分に応じて、マスク本体１を取り替えて使用することができる。また、自分で別途購入したハンカチや布状のものを、折りたたんだり縫製したりしてマスク本体１として利用することもできる。
【産業上の利用可能性】
【００２６】
防菌、防塵等の目的で口や鼻を覆うために使用するマスクとして利用することが可能である。
【図面の簡単な説明】
【００２７】
【図１】この発明の実施形態のマスクの斜視図である。
【図２】この発明の実施形態のマスクの耳掛け紐の斜視図である。
【図３】前記耳掛け紐に設けられる取付具の側面図である。
【図４】マスク本体として使用する複数のハンカチと一対の耳掛け紐をセットにした場合の説明図である。
【符号の説明】
【００２８】
１  マスク本体
２  耳掛け紐
３  取付具
【図１】
2005143860.tif 000003
【図２】
2005143860.tif 000004
【図３】
2005143860.tif 000005
【図４】
2005143860.tif 000006